(57)【要約】【課題】動作が拍子と合っているか容易に確認できる動画撮像を実現する。【解決手段】デジタルカメラ１の動画撮像機能で、音楽に合わせておこなうダンスなどの動作を撮像する。このとき、拍子検出部２１３は、入力される音声に対する信号処理をおこなうことで、音楽の開始と拍子部分を検出し、検出したときの時間情報を記録する。データ記録部２１４は、記録された時間情報に基づいて、音楽の開始時点と各拍子部分に対応するフレーム画像を特定し、拍子とフレーム画像とを対応づけた拍子情報を生成する。生成した拍子情報は、動画ファイルに付加されて外部記憶部２６０に格納される。拍子情報が付加された動画ファイルを再生する際、再生処理部２１５は、拍子情報に記録されている拍子とフレーム画像との対応関係に基づいて、拍子と連動した再生動作をおこなう。【選択図】図２
2009218900.tif 000002
【特許請求の範囲】
【請求項１】
動画撮像機能を有する撮像装置において、
前記動画撮像機能の実行により記録される時間情報に基づいて楽曲の拍子に対応する時間的位置を検出する拍子検出手段と、
前記動画撮像機能によって得られる動画データを構成する画像データから、前記拍子検出手段が検出した拍子の時間的位置に対応する画像を特定し、当該拍子を示す拍子情報と対応づけて記録する記録手段と、
前記拍子情報と画像との対応関係に基づいて、前記動画像データを再生する再生手段と、
を備えることを特徴とする撮像装置。
【請求項２】
前記拍子検出手段は、前記動画撮像機能の実行により入力される音声から楽曲の拍子部分を検出する、
ことを特徴とする請求項１に記載の撮像装置。
【請求項３】
前記拍子検出手段は、前記入力される音声から前記楽曲の開始部分を前記拍子として検出する、
ことを特徴とする請求項２に記載の撮像装置。
【請求項４】
前記拍子検出手段は、指定されたテンポと開始位置に基づいて、拍子に対応する時間的位置を検出する、
ことを特徴とする請求項１に記載の撮像装置。
【請求項５】
前記再生手段は、前記拍子情報と対応づけられた画像を選択的に表示する、
ことを特徴とする請求項１乃至４のいずれか１項に記載の撮像装置。
【請求項６】
前記再生手段は、音声の再生とともに、前記拍子情報と対応づけられた画像を、該拍子情報に基づくタイミングで表示する、
ことを特徴とする請求項１乃至５のいずれか１項に記載の撮像装置。
【請求項７】
前記再生手段は、前記動画データを再生する際に、前記拍子情報が対応づけられている画像を表示するタイミングで、拍子を示す音声を出力する、
ことを特徴とする請求項１乃至６のいずれか１項に記載の撮像装置。
【請求項８】
前記拍子情報が対応付けられた画像から構成される静止画像データを生成する静止画像データ生成手段をさらに備える、
ことを特徴とする請求項１乃至７のいずれか１項に記載の撮像装置。
【請求項９】
動画撮像機能を有する撮像装置で、音楽と関連づけて動画を記録再生する方法であって、
前記動画撮像機能の実行により記録される時間情報に基づいて楽曲の拍子に対応する時間的位置を検出するステップと、
前記動画撮像機能によって得られる動画データを構成する画像データから、前記検出した拍子の時間的位置に対応する画像を特定し、当該拍子を示す拍子情報と対応づけて記録するステップと、
前記拍子情報と画像との対応関係に基づいて、前記動画像データを再生するステップと、
を含むことを特徴とする動画記録再生方法。
【請求項１０】
動画撮像機能を有する撮像装置を制御するコンピュータに、
前記動画撮像機能の実行により記録される時間情報に基づいて楽曲の拍子に対応する時間的位置を検出する機能と、
前記動画撮像機能によって得られる動画データを構成する画像データから、前記検出した拍子の時間的位置に対応する画像を特定し、当該拍子を示す拍子情報と対応づけて記録する機能と、
前記拍子情報と画像との対応関係に基づいて、前記動画像データを再生する機能と、
を実現させることを特徴とするプログラム。
【発明の詳細な説明】
【技術分野】
【０００１】
本発明は、撮像装置、動画記録再生方法、および、プログラムに関し、特に、音楽などと連動した動作を被写体とした動画撮影に好適な撮像装置、動画記録再生方法、および、プログラムに関する。
【背景技術】
【０００２】
デジタルスチルカメラや撮影機能を有する携帯電話などでは、スチル画像の撮像のみならず動画撮像をおこなえるものが一般的となっている。このような小型・軽量の装置で容易に動画撮影がおこなえることで、様々な場面で誰でも気軽に動画撮影がおこなわれるようになっている。
【０００３】
動画撮像機能では、通常、音声も同時に記録することができるので、例えば、ダンスや楽器演奏などといった、音楽と動作とが関連する場面などを撮影して、技術の向上などに活用することも容易におこなうことができる。
【０００４】
このような場合において、例えば、ダンス練習の模様を撮影することで、動きが音楽と合っているか確認する用途などに動画撮像機能を用いることができる。この場合、ダンスを構成している動作は、音楽のビート（拍子）に合わせることが一般的であるため、再生した動画を見ることで、音楽のビートに動作が合っているか確認できることが重要となる。
【０００５】
しかしながら、従来の動画撮像機能では、記録された音楽と動画との間に関連性がないため、ビート（拍子）に合わせた再生をおこなうことはできなかった。このため、ダンスの動作などが拍子（ビート）に合っているかを容易かつ確実に確認することは困難であった。
【０００６】
一方で、動画データを再生するための時間軸を可変に制御することで、演奏される音楽に合わせて動画を再生する手法が知られており（例えば、特許文献１）、音楽に合わせた動画再生の実現が図られている。
【特許文献１】特開２００６−２３７４８号公報
【発明の開示】
【発明が解決しようとする課題】
【０００７】
しかしながら、特許文献１の場合、再生中に音楽の演奏テンポを入力する必要があるため、撮影してそのまま再生しても音楽に合わせた再生とすることができない。また、入力されたテンポに合わせた動画再生をおこなえるものの、拍子（ビート）と動画との関連性はないため、拍子（ビート）に合わせた再生はできなかった。
【０００８】
本発明は、上記実状に鑑みてなされたものであり、音楽と動画とを容易に連動させることのできる撮像装置、動画記録再生方法、および、プログラムを提供することを目的とする。
【課題を解決するための手段】
【０００９】
上記目的を達成するため、本発明の第１の観点にかかる撮像装置は、
動画撮像機能を有する撮像装置において、
前記動画撮像機能の実行により記録される時間情報に基づいて楽曲の拍子に対応する時間的位置を検出する拍子検出手段と、
前記動画撮像機能によって得られる動画データを構成する画像データから、前記拍子検出手段が検出した拍子の時間的位置に対応する画像を特定し、当該拍子を示す拍子情報と対応づけて記録する記録手段と、
前記拍子情報と画像との対応関係に基づいて、前記動画像データを再生する再生手段と、
を備えることを特徴とする。
【００１０】
上記撮像装置において、
前記拍子検出手段は、前記動画撮像機能の実行により入力される音声から楽曲の拍子部分を検出することが望ましい。
【００１１】
この場合、
前記拍子検出手段は、前記入力される音声から前記楽曲の開始部分を前記拍子として検出することが望ましい。
【００１２】
上記撮像装置において、
前記拍子検出手段は、指定されたテンポと開始位置に基づいて、拍子に対応する時間的位置を検出することが望ましい。
【００１３】
上記撮像装置において、
前記再生手段は、前記拍子情報と対応づけられた画像を選択的に表示することが望ましい。
【００１４】
上記撮像装置において、
前記再生手段は、音声の再生とともに、前記拍子情報と対応づけられた画像を、該拍子情報に基づくタイミングで表示することが望ましい。
【００１５】
上記撮像装置において、
前記再生手段は、前記動画データを再生する際に、前記拍子情報が対応づけられている画像を表示するタイミングで、拍子を示す音声を出力することが望ましい。
【００１６】
上記撮像装置は、
前記拍子情報が対応付けられた画像から構成される静止画像データを生成する静止画像データ生成手段をさらに備えていることが望ましい。
【００１７】
上記目的を達成するため、本発明の第２の観点にかかる動画記録再生方法は、
動画撮像機能を有する撮像装置で、音楽と関連づけて動画を記録再生する方法であって、
前記動画撮像機能の実行により記録される時間情報に基づいて楽曲の拍子に対応する時間的位置を検出するステップと、
前記動画撮像機能によって得られる動画データを構成する画像データから、前記検出した拍子の時間的位置に対応する画像を特定し、当該拍子を示す拍子情報と対応づけて記録するステップと、
前記拍子情報と画像との対応関係に基づいて、前記動画像データを再生するステップと、
を含むことを特徴とする。
【００１８】
上記目的を達成するため、本発明の第３の観点にかかるプログラムは、
動画撮像機能を有する撮像装置を制御するコンピュータに、
前記動画撮像機能の実行により記録される時間情報に基づいて楽曲の拍子に対応する時間的位置を検出する機能と、
前記動画撮像機能によって得られる動画データを構成する画像データから、前記検出した拍子の時間的位置に対応する画像を特定し、当該拍子を示す拍子情報と対応づけて記録する機能と、
前記拍子情報と画像との対応関係に基づいて、前記動画像データを再生する機能と、
を実現させることを特徴とする。
【発明の効果】
【００１９】
本発明によれば、音楽と動画とを容易に連動させることができる。
【発明を実施するための最良の形態】
【００２０】
本発明にかかる実施形態を、図面を参照して以下に説明する。本実施形態では、本発明をデジタルスチルカメラ（以下、デジタルカメラ）によって実現した場合を例示する。本実施形態にかかるデジタルカメラ１は、一般的なデジタルスチルカメラが有する機能を備えているものとし、この中には、少なくとも、動画撮像機能が含まれているものとする。
【００２１】
図１は、本発明の実施形態にかかるデジタルカメラ１の構成を示すブロック図である。本実施形態にかかるデジタルカメラ１の概略的構成は、図示するように、撮像部１００、データ処理部２００、インタフェース（Ｉ／Ｆ）部３００、などである。
【００２２】
撮像部１００は、デジタルカメラ１の撮像動作をおこなう部分であり、図示するように、光学装置１１０やイメージセンサ部１２０などから構成され、後述する制御部２１０による制御によって動作する。
【００２３】
光学装置１１０は、例えば、レンズ、絞り機構、シャッタ機構、などを含み、撮像にかかる光学的動作をおこなう。すなわち、光学装置１１０の動作により、入射光が集光されるとともに、焦点距離や絞りなどといった、画角やピント、露出などにかかる光学的要素の調整がなされる。
【００２４】
イメージセンサ部１２０は、光学装置１１０によって集光された入射光に応じた電気信号を生成する、例えば、ＣＣＤ（Charge Coupled Device：電荷結合素子）やＣＭＯＳ（Complementally Metal Oxide Semiconductor：相補型金属酸化物半導体）などのイメージセンサから構成される。イメージセンサ部１２０は、光電変換をおこなうことで、受光に応じた電気信号を発生してデータ処理部２００に出力する。
【００２５】
なお、本実施形態にかかるデジタルカメラ１は動画撮像機能を有しているので、イメージセンサ部１２０は、連続的な受光によって生成した電気信号を順次出力することで、動画像用の画像信号を出力するものとする。
【００２６】
データ処理部２００は、撮像部１００による撮像動作によって生成された電気信号を処理し、撮像画像を示すデジタルデータを生成するとともに、撮像画像に対する画像処理などをおこなう。図１に示すように、データ処理部２００は、制御部２１０、画像処理部２２０、画像メモリ２３０、画像出力部２４０、記憶部２５０、外部記憶部２６０、などから構成される。
【００２７】
制御部２１０は、例えば、ＣＰＵ（Central Processing Unit：中央演算処理装置）などのプロセッサや、ＲＡＭ（Random Access Memory）などの主記憶装置（メモリ）、などから構成され、後述する記憶部２５０などに格納されているプログラムを実行することで、デジタルカメラ１の各部を制御する。また、本実施形態では、所定のプログラムを実行することで、後述する各処理にかかる機能が制御部２１０によって実現される。
【００２８】
画像処理部２２０は、例えば、ＡＤＣ（Analog-Digital Converter：アナログ−デジタル変換器）、バッファメモリ、画像処理用のプロセッサ（いわゆる、画像処理エンジン）などから構成され、撮像部１００によって生成された電気信号に基づいて、撮像画像を示すデジタルデータを生成する。
【００２９】
すなわち、イメージセンサ部１２０から出力されたアナログ電気信号をＡＤＣがデジタル信号に変換して順次バッファメモリに格納すると、バッファされたデジタルデータに対し、画像処理エンジンがいわゆる現像処理などをおこなうことで、画質の調整やデータ圧縮などをおこなう。
【００３０】
また、動画撮像の場合は、画像処理部２２０の動作によって、所定のフレームレートの動画像データが生成される。この場合、イメージセンサ部１２０から出力された画像信号を所定のフレームレートに応じたタイミングでフレーム画像としていることで動画像データとする。なお、動画撮像をおこなう場合、画像処理部２２０は、画像データの処理とともに音声データの処理もおこなうものとする。すなわち、通常の動画撮像機能と同様、画像とともに音声を記録するものであり、音声入出力部３２０から入力される音声データを動画像データと組み合わせることで動画データを生成する。この場合、例えば、H.264/AVCなどの符号化規格に基づいた動画データ生成がおこなわれる。
【００３１】
画像メモリ２３０は、例えば、ＲＡＭやフラッシュメモリなどの記憶装置から構成され、画像処理部２２０によって生成された撮像画像データや、制御部２１０によって処理される画像データなどを一時的に格納する。
【００３２】
画像出力部２４０は、例えば、ＲＧＢ信号の生成回路などから構成され、画像メモリ２３０に展開された画像データをＲＧＢ信号などに変換して表示画面（後述する表示部３１０など）に出力する。
【００３３】
記憶部２５０は、例えば、ＲＯＭ（Read Only Memory）やフラッシュメモリなどの記憶装置から構成され、デジタルカメラ１の動作に必要なプログラムやデータなどを格納する。本実施形態では、制御部２１０などが実行する動作プログラムや処理に必要となるパラメータや演算式の他、例えば、出力する音声の音源データなどが記憶部２５０に格納されているものとする。
【００３４】
外部記憶部２６０は、例えば、メモリカードなどといった、デジタルカメラ１に着脱可能な記憶装置から構成され、デジタルカメラ１で撮像した画像データなどを格納する。
【００３５】
インタフェース部３００は、デジタルカメラ１とその使用者あるいは外部装置とのインタフェースにかかる構成であり、図１に示すように、表示部３１０、音声入出力部３２０、操作部３３０、などから構成される。
【００３６】
表示部３１０は、例えば、液晶表示装置などから構成され、デジタルカメラ１を操作するために必要な種々の画面や、撮影時のライブビュー画像（ファインダ画像）、撮像画像、などを表示出力する。本実施形態では、画像出力部２４０からの画像信号（ＲＧＢ信号）などに基づいて撮像画像等の表示出力がおこなわれる。
【００３７】
音声入出力部３２０は、例えば、マイクロフォンやスピーカ、および、音声コーデック装置などから構成され、デジタルカメラ１の外部からの音声を収音し、デジタル音声データを生成するとともに、動画データの再生時に音声を出力する。この場合、音声コーデック装置は、例えば、ADPCM（Adaptive Differential Pulse Code Modulation：適応型差分パルス符号変調方式）などの符号化方式に基づいた音声データ生成や音声再生をおこなう。
【００３８】
操作部３３０は、デジタルカメラ１の外面上に構成されている各種ボタンなどによって構成され、デジタルカメラ１の使用者による操作に応じた入力信号を生成して制御部２１０に入力する。操作部３３０を構成するボタンとして、例えば、シャッタ動作を指示するためのシャッタボタンや、デジタルカメラ１のもつ動作モードを指定するためのモードボタン、各種設定をおこなうための十字キーや機能ボタン、などが含まれているものとする。
【００３９】
ここで、本実施形態では、記憶部２５０に格納されている動作プログラムを制御部２１０が実行することで、後述する各処理が実現されるが、この場合に制御部２１０によって実現される機能を、図２を参照して説明する。
【００４０】
図２は、制御部２１０によって実現される機能を示した機能ブロック図である。ここでは、連写機能によって撮像された画像からストロボ画像を生成する機能を実現するために必要な機能構成を示す。この場合、図示するように、制御部２１０は、動作モード処理部２１１、動画撮像処理部２１２、拍子検出部２１３、データ記録部２１４、再生処理部２１５、などとして機能する。
【００４１】
動作モード処理部２１１は、表示部３１０との協働により、デジタルカメラ１が有する各種動作モードをデジタルカメラ１のユーザに指定させるために必要な画面表示や指定された動作モード毎の設定画面表示などをおこなう他、操作部３３０との協働により、ユーザが指定した動作モードを認識し、当該動作モードの実行に必要なプログラムや演算式などを記憶部２５０から読み出し、制御部２１０の主記憶装置（メモリ）にロードする。
【００４２】
本実施形態では、例えば、ダンスなどのような音楽と動作とが関連する場面をデジタルカメラ１で撮影する場合において、その音楽の拍子（ビート）と動作が合っているか確認する用途に適した動画撮影をおこなうための動画撮像モード（以下、「ビート記録モード」とする）がユーザによって指定されるものとする。この場合において、以下に説明する制御部２１０の各機能構成は、ビート記録モードが指定されたことに応じて動作モード処理部２１１がロードしたプログラムの実行により実現される機能構成である。
【００４３】
動画撮像処理部２１２は、撮像部１００、画像処理部２２０、音声入出力部３２０を制御し、ビート記録モードでの動画撮像と音声記録にかかる処理をおこなう。
【００４４】
拍子検出部２１３は、ビート記録モードでの動画撮像によって得られた動画像データに対応づける拍子を検出する。本実施形態では、予め指定された拍子をカウントし、各拍子の時間的位置を検出する他、動画撮像時に入力された音声から拍子部分を検出する。この場合、拍子検出部２１３は、例えば、入力された音声信号が示す音声レベルの高い部分を検出することで、音楽の拍子（ビート）を検出する。
【００４５】
データ記録部２１４は、拍子検出部２１３が検出した拍子を示す拍子情報を生成するとともに、動画データとを対応づけて記録する。この場合、データ記録部２１４は、拍子情報を対応づけた動画データ（以下、「拍子情報付画像データ」とする）を、例えば、外部記憶部２６０などに格納する。
【００４６】
再生処理部２１５は、拍子情報付画像データの再生にかかる処理をおこなう。つまり、外部記憶部２６０などに格納された拍子情報付画像データを再生する場合において、動画データとともに記録された拍子情報に基づいて画像データが出力されるよう画像出力部２４０を制御する他、音声入出力部３２０を制御し、音声を出力させる。
【００４７】
また、再生処理部２１５は、拍子情報付画像データから、拍子情報が対応づけられている画像データで構成される静止画データを生成する。
【００４８】
以上が制御部２１０によって実現される機能である。なお、本実施形態では、制御部２１０がプログラムを実行することによる論理的処理で上述した各機能が実現されるものとするが、これらの機能を、例えば、ＡＳＩＣ（Application Specific Integrated Circuit：特定用途向け集積回路）などのハードウェアによって構成してもよい。この場合、図２に示した機能のうち、画像処理にかかる機能については、画像処理部２２０によって実現されてもよい。
【００４９】
以上説明したデジタルカメラ１の構成は、本発明を実現するために必要な構成であり、デジタルカメラとしての基本機能や種々の付加機能に用いられる構成は必要に応じて備えられているものとする。
【００５０】
このような構成のデジタルカメラ１による動作を以下に説明する。本実施形態では、例えば、ダンスなどのような、音楽と関連する動作を動画撮影する場合を想定する。この場合、デジタルカメラ１のユーザは、デジタルカメラ１の操作部３３０を操作し、動画撮影に関するモードからビート記録モードを選択する。
【００５１】
ビート記録モードが指定された場合にデジタルカメラ１が実行する「ビート記録撮像処理」を、図３に示すフローチャートを参照して説明する。この「ビート記録撮像処理」は、デジタルカメラ１のユーザが操作部３３０を操作することで、動画撮像モードとしてビート記録モードが指定されたことを契機に開始される。この場合、動作モード処理部２１１が、ビート記録モードにかかるプログラムなどを記憶部２５０からロードすることで、図２に示した各機能構成により以下の処理が実行される。
【００５２】
処理が開始されると、動作モード処理部２１１は、ビート記録モードでの動画撮像にかかる設定をユーザにおこなわせるための「ビート検出設定画面」を表示部３１０に表示する（ステップＳ１０１）。ここでは、例えば、図６（ａ）に示すような、ビート検出にかかる動作モード（ビート検出モード）をユーザに指定させるための設定画面を表示部３１０に表示する。この場合、ビート検出モードとして、例えば、「自動検出」と「ユーザ指定」が用意されているものとし、それらを示す項目が選択可能に表示される。
【００５３】
ここで、「自動検出」とは、撮像と同時に記録される音声から自動的にビート（拍子）を検出するモードであるものとし、「ユーザ指定」とは、デジタルカメラ１のユーザが予め指定したテンポに基づいたビートを検出するモードであるものとする。
【００５４】
ユーザは、操作部３３０の十字キーなどを操作することで、所望するモードを指定する。ここで「ユーザ指定」が選択された場合、動作モード処理部２１１は、図６（ｂ）に示すような、ユーザにテンポ（BPM: Beats Per Minute）を指定させるための設定画面を表示部３１０に表示する。ユーザは、操作部３３０を操作することで所望するテンポを指定する。
【００５５】
ステップＳ１０１で表示した設定画面で入力された内容は、例えば、制御部２１０のメモリに保持される。ユーザによる各種設定入力に応じた入力信号が操作部３３０から制御部２１０に入力されることで、設定入力がなされたと判別すると（ステップＳ１０２：Ｙｅｓ）、動作モード処理部２１１はその旨を拍子検出部２１３に通知する。拍子検出部２１３は、この通知に基づいて上述した設定画面において「自動検出」と「ユーザ指定」のいずれが選択されていたかを判別する（ステップＳ１０３）。
【００５６】
拍子検出部２１３は、「ユーザ指定」が選択されていたと判別すると（ステップＳ１０３：Ｙｅｓ）、指定されたテンポに基づいたビートを記録しながら撮像する「ユーザ指定撮像処理」を実行し（ステップＳ２００）、「自動検出」が選択されていたと判別すると（ステップＳ１０３：Ｎｏ）、入力音声からビートを自動的に検出しながら撮像する「自動検出撮像処理」を実行する（ステップＳ３００）。
【００５７】
ここで、本実施形態にかかる撮像動作で撮像する場面の例を図７に示す。本実施形態では、デジタルカメラ１の動画撮像機能により、図示するような、音楽に合わせてダンスをおこなう人物を撮影することを想定する。ここで、本実施形態では、複数名の人物がダンスをおこなう様子を撮影するものとする。そして、これらの人物がおこなうダンスは同じ動きであるものとする。
【００５８】
このような場面の撮像においては、例えば、図８に示すように、ダンスの開始前から撮像を開始し、ダンスの終了後に撮像を終了するものとする。この場合において、撮影場所で流れる音楽に合わせてダンスがおこなわれるものとし、この音楽の開始とともにダンスの動作も開始されるものとする。そして、音楽のビートに合わせた振り付けによるダンスが音楽に合わせておこなわれた後、音楽の終了とともにダンスの動作も終了することとする。
【００５９】
「ユーザ指定」が選択された場合に実行する「ユーザ指定撮像処理」を、図４に示すフローチャートを参照して説明する。処理が開始されると、拍子検出部２１３は、ユーザが指定したテンポに基づいて、ビート間の時間間隔を算出する（ステップＳ２０１）。
【００６０】
ここでは、指定されたテンポに基づいて、４分の４拍子の拍節についての時間間隔が算出されるものとする。ここで指定されるテンポは、１分間のビート数を表すＢＰＭ（Beats Per Minute）で指定されるものとする。例えば、１０５ＢＰＭは、１分間に１０５ビートとなるテンポを示している。よって、ビート間の時間間隔（秒）は、６０をＢＰＭの値で除することで算出することができる。１０５ＢＰＭの場合であれば、１ビートの時間は、０．５７秒ということになる。
【００６１】
デジタルカメラ１のユーザは、操作部３３０のシャッタボタンを押下することで、撮影の開始を指示する。この場合、操作に応じた入力信号が操作部３３０から制御部２１０に入力されるので、動作モード処理部２１１は、撮像開始指示が入力されたと判別する（ステップＳ２０２：Ｙｅｓ）。この場合、動作モード処理部２１１は、撮像開始を動画撮像処理部２１２に指示する。
【００６２】
動画撮像処理部２１２は、動作モード処理部２１１からの通知に応じて、撮像部１００、画像処理部２２０、音声入出力部３２０を制御することで、動画撮像動作と音声入力を開始する（ステップＳ２０３）。
【００６３】
ここで、「ユーザ指定」モードでは、音楽の開始（スタート位置）をユーザによる手動入力で指定されるものとする。この場合、撮影開始を指示するためのシャッタボタンの押下後に、再度シャッタボタンを押下することで音楽の開始を入力する。
【００６４】
音楽の開始に合わせてユーザがシャッタボタンを押下すると、対応する入力信号が操作部３３０から制御部２１０に入力されるので、拍子検出部２１３は、スタート位置を指定する操作の有無を判別することができる。ユーザによるシャッタボタンの押下でスタート位置が指定されると（ステップＳ２０４：Ｙｅｓ）、拍子検出部２１３は、動画撮像処理部２１２が撮像開始とともに記録している時間情報を参照し、スタート位置を指定する操作がおこなわれた時点の時間情報を特定し、音楽の楽曲開始位置を示す時間情報としてメモリに記録する（ステップＳ２０５）。
【００６５】
このようにしてスタート位置の時間情報が記録されると、拍子検出部２１３は、ステップＳ２０１で算出したビート間の時間間隔に基づき、スタート位置の時間から算出した時間が経過する毎に、当該時間情報をビート部分の時間的位置を示す時間情報として順次メモリに記録する（ステップＳ２０６）。
【００６６】
このような、各ビートの時間情報の記録は、撮像終了を指示する操作がおこなわれるまで繰り返しおこなわれる（ステップＳ２０７：Ｎｏ）。すなわち、「ユーザ指定」モードでは、ユーザが指定した楽曲開始位置とテンポを基準にしたビート（拍子）の時間情報が随時記録されることになる。
【００６７】
そして、デジタルカメラ１のユーザが操作部３３０を操作することで撮像終了指示が入力されると（ステップＳ２０７：Ｙｅｓ）、本処理を終了し、図３に示すビート記録撮像処理のフローに戻る。
【００６８】
次に、ユーザが指定したモードが「自動検出」である場合（ステップＳ１０３：Ｎｏ）に実行される「自動検出撮像処理」を、図５に示すフローチャートを参照して説明する。
【００６９】
デジタルカメラ１のユーザが、操作部３３０のシャッタボタンを押下することで、撮影の開始を指示すると、操作部３３０からの入力信号に基づき、動作モード処理部２１１は、撮像開始指示が入力されたと判別する（ステップＳ３０１：Ｙｅｓ）。この場合、動作モード処理部２１１は、撮像開始を動画撮像処理部２１２に指示する。
【００７０】
動画撮像処理部２１２は、動作モード処理部２１１からの通知に応じて、撮像部１００、画像処理部２２０、音声入出力部３２０を制御することで、動画撮像動作と音声入力を開始する（ステップＳ３０２）。
【００７１】
上述したように、撮影場所で流れている音楽に合わせたダンスを撮像しているので、音声入出力部３２０のマイクロフォンにより収音された音声（すなわち、音楽）が動画撮像とともに入力されている。この場合、収音された音声は、音声入出力部３２０の音声コーデックにより所定のデジタル音声データに変換され、制御部２１０に随時入力される。拍子検出部２１３は、このようにして入力された音声データに対する信号処理をおこなうことで、入力された音声から楽曲の開始とビート（拍子）を検出する。
【００７２】
ここで、図８に示したように、音楽の開始とともにダンスが開始される場面を、ダンス開始前から撮像している場合、音楽の開始前と音楽の開始時では、入力された音声の音声レベルが急激に変位する。よって、拍子検出部２１３は、このような音声レベルの変位を音楽の開始（スタート位置）として検出し（ステップＳ３０３）、その時点での時間情報が示す時間を、楽曲の開始を示す時間的位置を示す時間としてメモリに記録する（ステップＳ３０４）。
【００７３】
このようにして楽曲の開始位置を検出すると、流れている音楽のビートを順次検出する。ここで、音楽のビートは、打楽器（例えば、バスドラムやスネアドラムなど）で表現されることが一般的であり、その部分の音声レベルが高くなっている。よって、拍子検出部２１３は、入力される音声の音声レベルをモニタリングし、音声レベルが高く成っている部分をビート部分として検出する（ステップＳ３０５）。
【００７４】
拍子検出部２１３は、このような検出時の時間情報が示す時間を、ビート部分の時間的位置を示す時間としてメモリに記録する（ステップＳ３０６）。
【００７５】
拍子検出部２１３は、このようなビート検出動作を撮像終了指示が入力されるまで繰り返しおこなうことで（ステップＳ３０７：Ｎｏ）、撮像対象としているダンスが合わせるべき音楽のビートが自動的に検出される。
【００７６】
そして、デジタルカメラ１のユーザが操作部３３０を操作することで撮像終了指示が入力されると（ステップＳ３０７：Ｙｅｓ）、本処理を終了し、図３に示すビート記録撮像処理のフローに戻る。
【００７７】
このようにして、指定されたモードに応じたビート検出がおこなわれる。いずれかのモードにおいて撮像終了指示が入力されると（ステップＳ２０７：Ｙｅｓ、ステップＳ３０７：Ｙｅｓ）、動画撮像処理部２１２は、撮像部１００、画像処理部２２０、音声入出力部３２０を制御し、動画撮像動作と音声入力動作を終了させ、その旨を拍子検出部２１３に通知する。
【００７８】
動画撮像処理部２１２からの通知に応じて、拍子検出部２１３は、撮像中にメモリに記録した時間情報をデータ記録部２１４に引き渡し、ビート記録モードで撮像された動画データの生成を指示する。
【００７９】
データ記録部２１４は、拍子検出部２１３から引き渡された時間情報と、画像メモリ２３０に格納されている動画像データとを参照することで、拍子検出部２１３が検出した楽曲開始位置（スタート位置）とビート（拍子）部分に対応するフレーム画像を特定する（ステップＳ１０４）。
【００８０】
この動作を、図９を参照して説明する。図９は、撮像対象であるダンスで合わせるべき音楽の音声と、動画撮像によって記録された時間情報、および、動画撮像動作によって得られたフレーム画像との対応関係を時間軸上で示したものである。
【００８１】
ここで、動画撮像処理部２１２によって記録されている時間情報は、図示するように、撮像開始時点を０としたものであるので、音声と動画で共通した時間情報となっている。よって、楽曲開始位置およびビート部分の各時間情報が示す時間に対応するフレーム画像を特定することができる。ここで、動画撮像によって得られるフレーム画像には、通常の動画撮像動作と同様にフレーム番号が付されているので、楽曲開始位置および各ビート部分に対応するフレーム画像を、フレーム番号によって特定することができる。図９の例においては、フレーム番号が「フレームＸ」のフレーム画像が楽曲開始位置に対応するフレーム画像として特定され、以下、「フレームＹ」、「フレームＺ」となるフレーム画像が、ビート部分に対応するフレーム画像として特定されている。
【００８２】
データ記録部２１４は、このようにして特定されるビート部分とフレーム画像との対応関係を記録した「拍子情報」を生成し、撮像動作によって得られた動画像データとともに、例えば、外部記憶部２６０に格納し（ステップＳ１０５）、処理を終了する。
【００８３】
ここで、データ記録部２１４が生成する拍子情報の例を図１０に示す。図示するように、拍子情報には、各ビートについて検出された時間情報と対応するフレーム画像のフレーム番号が記録される。ここで、本実施形態では、検出された楽曲開始位置を「０拍子目」とし、楽曲開始位置以降に検出された拍子を「１拍子目〜ｍ拍子目」とする。データ記録部２１４は、例えば、このような拍子情報を動画像データ（動画ファイル）に付加して格納する。
【００８４】
このようにして生成された動画像データをデジタルカメラ１で再生する際の動作を説明する。この場合、デジタルカメラ１のユーザが操作部３３０を操作することで、デジタルカメラ１の動作モードを再生モードとする。再生モードが指定されたことを契機に制御部２１０は「再生処理」を実行する。この場合、制御部２１０がプログラムを実行することで図２に示した機能構成として機能し、処理が実行される。この「再生処理」を、図１１に示すフローチャートを参照して説明する。
【００８５】
処理が開始されると、再生処理部２１５は、動作モード処理部２１１との協働により、再生対象となる動画ファイルをユーザに指定させるために、例えば、外部記憶部２６０に格納されている動画ファイルを示すファイル情報を表示部３１０に表示する（ステップＳ４０１）。この場合、格納されている動画ファイルが、選択可能に一覧表示される。
【００８６】
デジタルカメラ１のユーザは、操作部３３０を操作することで、表示部３１０に表示されている動画ファイルから、再生を所望する動画ファイルを選択する。ここで対象が選択されない場合（ステップＳ４０２：Ｎｏ）は、そのまま処理を終了する。
【００８７】
再生対象となる動画ファイルが選択されると（ステップＳ４０２：Ｙｅｓ）、再生処理部２１５は、当該動画ファイルに拍子情報が付加されているか否か判別する（ステップＳ４０３）。ここで、拍子情報が付加されていなければ（ステップＳ４０３：Ｎｏ）、再生処理部２１５は、当該動画ファイルを通常の動画再生動作によって再生する（ステップＳ４０４）。
【００８８】
一方、選択された動画ファイルに拍子情報が付加されている場合（ステップＳ４０３：Ｙｅｓ）、再生処理部２１５は、再生にかかる動作モードとして、拍子情報に基づくビート（拍子）と連動した再生動作をおこなう「ビート再生モード」で動作する。この場合、再生処理部２１５は、ビート再生モードにおけるさらなる再生モードをユーザに指定させるための「再生モード設定画面」を表示部３１０に表示する（ステップＳ４０５）。
【００８９】
再生処理部２１５が表示する再生モード設定画面の例を図１２に示す。ここではまず、図１２（ａ）に示すような、再生動作の種類（再生モード）を選択させるための設定画面を表示する。本実施形態では、例えば、「音声＋静止画再生」、「音声＋動画再生」、「手動コマ送り再生」、などの再生モードが用意されているものとする。
【００９０】
「音声＋静止画再生」は、音声を再生するとともに、音声の再生位置がビート部分となったタイミングで当該ビートに対応づけられているフレーム画像を静止画表示する再生モードである。
【００９１】
「音声＋動画再生」は、音声を再生するとともに、撮像した動画像データを再生し、音声の再生位置がビート部分となったタイミングで、ビート部分であることをユーザが認識することのできる出力をおこなう再生モードである。
【００９２】
「手動コマ送り再生」は、ユーザによる操作部３３０の操作毎に、拍子情報に記録されているフレーム画像を順次コマ送り表示する再生モードである。この場合、音声の出力は伴わない。
【００９３】
デジタルカメラ１のユーザは、操作部３３０を操作することで、所望する再生モードを指定する。ここで、音声再生を伴う再生モードが指定された場合、再生処理部２１５は、図１２（ｂ）に示すような、使用する音声をユーザに指定させるための設定画面を表示部３１０に表示する。
【００９４】
この場合、例えば、再生音声として用いる音声を「収録音」とするか「他の音声」とするかの選択や、拍子音を「つける」か「つけない」かの選択をおこなう画面を表示する。
【００９５】
ここで、「収録音」とは、当該動画ファイルの動画撮像時に録音された音声である。すなわち、撮像時に撮影場所で流れていた音楽を再生音声とする場合に選択される。一方、「他の音声」とは、当該動画ファイルの動画撮像時に録音した音声以外の音声である。例えば、撮像したダンスが他のダンスと合うか検証する場合などに選択される。なお、「他の音声」として用いる音声データは、例えば、外部記憶部２６０などに予め格納されているものとする。
【００９６】
また、「拍子音」とは、撮像時に検出されたビート部分となったときに出力される音声であり、「つける」を選択した場合、例えば、ハンドクラップなどのような拍子を表現するのに好適な音声がビート部分に合わせて出力される。なお、拍子音の出力に用いられる音源データは、記憶部２５０などに予め格納されているものとする。
【００９７】
デジタルカメラ１のユーザは、設定画面の表示に応じて操作部３３０を操作することで、所望する再生時の動作を設定する。このような操作に応じた入力信号が操作部３３０から制御部２１０に入力され、再生モードが設定されると（ステップＳ４０６：Ｙｅｓ）、再生処理部２１５は、設定された動作モードに応じた再生動作をおこなうための「ビート連動再生処理」を実行する（ステップＳ５００）。
【００９８】
以下、図１３〜図１５に示すフローチャートを参照し、本実施形態で例示する再生モードに応じた動作例を説明する。
【００９９】
まず、再生モードとして「音声＋静止画再生」が選択された場合に実行される「ビート連動再生処理（１）」を、図１３に示すフローチャートを参照して説明する。ここでは、再生音声が「収録音」であるものとし、拍子音は「つけない」が設定されている場合を例示する。
【０１００】
処理が開始されると、再生処理部２１５は、再生対象として指定された動画ファイルに付加されている拍子情報に記録されている拍子を指定するための拍子カウンタｎの値に初期値「０」を設定してから（ステップＳ５１１）、０拍目の時間位置から音声再生を開始する（ステップＳ５１２）。
【０１０１】
上述したように、拍子情報に記録されている「０拍目」は、撮像時に検出された楽曲開始位置（スタート位置）を示しているので、撮像時に収録された音楽の冒頭から再生されることになる。
【０１０２】
ここで、再生処理部２１５は、動画ファイルの再生開始とともに時間情報（タイムスタンプ）を進行させるが、この場合、拍子情報に記録されている０拍目の時間情報を、再生開始時の時間として再生を開始する。
【０１０３】
音声再生を開始すると、再生処理部２１５は、拍子カウンタｎの値を「＋１」し（ステップＳ５１３）、拍子情報に記録されているｎ拍目の時間情報を参照する。そして、再生とともに進行している時間情報が示す時間位置が、ｎ拍目の時間位置となったときに（ステップＳ５１４：Ｙｅｓ）、ｎ拍目に対応づけられているフレーム画像を表示部３１０に表示する（ステップＳ５１５）。
【０１０４】
すなわち、再生している音声におけるビート部分で、当該ビート部分に対応づけられているフレーム画像が静止画表示される。
【０１０５】
このような動作をすべてのビート部分が再生されるまでおこなうことで（ステップＳ５１６：Ｎｏ）、再生している音楽のビート部分毎に対応する静止画像が表示される。
【０１０６】
このような動作を、ｎが示す拍が最終の拍子（ｍ拍目）となるまでおこなうことで（ステップＳ５１６：Ｎｏ）、１拍目〜ｍ拍目のそれぞれに対応する静止画像が、再生している音楽のビートに合わせて順次表示されることになる。
【０１０７】
このように、音楽を再生しながら、その音楽のビートに連動して、その部分のフレーム画像が静止画像として表示されるので、表示されている画像を見ることで、ダンスなどの動作が音楽のビートに合っているか確認することができる。
【０１０８】
次に、再生モードとして「音声＋動画再生」が選択された場合に実行される「ビート連動再生処理（２）」を、図１４に示すフローチャートを参照して説明する。ここでは、再生音声が「収録音」であるものとし、拍子音は「つける」が設定されている場合を例示する。
【０１０９】
処理が開始されると、再生処理部２１５は、再生対象として指定された動画ファイルに付加されている拍子情報に記録されている拍子を指定するための拍子カウンタｎの値に初期値「０」を設定してから（ステップＳ５２１）、０拍目の時間位置から音声再生を開始するとともに、当該時間位置からの動画再生を開始する（ステップＳ５２２）。
【０１１０】
上述したように、拍子情報に記録されている「０拍目」は、撮像時に検出された楽曲開始位置（スタート位置）を示しているので、撮像時に収録された音楽の冒頭から再生されることになる。また、上述したように、音楽の開始とともにダンスを開始しているので、ダンスの冒頭から動画が再生されることになる。
【０１１１】
ここで、再生処理部２１５は、動画ファイルの再生開始とともに時間情報（タイムスタンプ）を進行させるが、この場合、拍子情報に記録されている０拍目の時間情報を、再生開始時の時間として再生を開始する。
【０１１２】
音声と動画の再生を開始すると、再生処理部２１５は、拍子カウンタｎの値を「＋１」し（ステップＳ５２３）、拍子情報に記録されているｎ拍目の時間情報を参照する。そして、再生とともに進行している時間情報が示す時間位置が、ｎ拍目の時間位置となったときに（ステップＳ５２４：Ｙｅｓ）、拍子音を出力する（ステップＳ５２５）。
【０１１３】
このような動作をすべてのビート部分が再生されるまでおこなうことで（ステップＳ５２６：Ｎｏ）、再生している音楽のビート部分毎に拍子音が出力される。
【０１１４】
このように、音楽とともに動画像を再生しながら、その音楽のビートに連動して、拍子音が出力されるので、表示されている動画像を見ながら、ビート部分を容易に認識することができ、ダンスなどの動作が音楽のビートに合っているか確認することができる。
【０１１５】
次に、再生モードとして「手動コマ送り再生」が選択された場合に実行される「ビート連動再生処理（３）」を、図１５に示すフローチャートを参照して説明する。ここで、「手動コマ送り再生」の場合、上述したように、操作部３３０の操作に応じてビートに対応するフレーム画像がコマ送り再生されるが、この操作は、例えば、十字キーの右方向キーが押下されること（以下、「キー操作」とする）でおこなわれるものとする。
【０１１６】
処理開始後、操作部３３０からの入力信号に基づいてキー操作を検出すると（ステップＳ５３１：Ｙｅｓ）、再生処理部２１５は、再生対象として指定された動画ファイルに付加されている拍子情報に記録されている拍子を指定するための拍子カウンタｎの値に初期値「０」を設定してから（ステップＳ５３２）、拍子情報で０拍目に対応づけられているフレーム画像を表示部３１０に表示する（ステップＳ５３３）。ここでは、撮像時に記録された音楽の開始位置のフレーム画像が表示されることになる。
【０１１７】
そして、再度キー操作がおこなわれると（ステップＳ５３４：Ｙｅｓ）、再生処理部２１５は、拍子カウンタｎを「＋１」し（ステップＳ５３５）、ｎ拍目のフレーム画像を表示部３１０に表示する（ステップＳ５３６）。
【０１１８】
以降、キー操作がなされる毎に、次のビート部分に対応するフレーム画像を表示する（ステップＳ５３７：Ｎｏ）。
【０１１９】
すなわち、ユーザによるキー操作に応じて、音楽のビート部分のフレーム画像が表示されるので、撮像されたダンスなどがビートに合っているか、任意のペースでじっくり確認することができる。
【０１２０】
このように、ユーザが所望する設定内容に応じたビート連動再生処理がおこなわれることで、音楽のビート部分に対応する画像を容易に確認することができる。この場合において、上述したように、複数名の人物が同じ動きをおこなうダンスを撮像したのであれば、表示された画像に示される動きが、例えば、図１６に示すように各人で異なっていれば、どちらかの人物がビートに合っていなかったと確認することができる。
【０１２１】
各種の「ビート連動再生処理」において、すべてのビート部分に対応する再生が終了すると、図１１に示す「再生処理」のフローに戻る。ここで、動画ファイルの再生動作の終了に応じて、再生処理部２１５は、静止画ファイルの作成要否をユーザに指定させるための「静止画ファイル作成画面」を表示部３１０に表示する（ステップＳ４０７）。
【０１２２】
ここでは、例えば、図１７（ａ）に示すような画面が表示部３１０に表示され、ユーザが操作部３３０を操作することで、静止画ファイルの作成要否を指示する。
【０１２３】
ここで、作成をおこなう旨の指示が入力された場合（ステップＳ４０８：Ｙｅｓ）、再生処理部２１５は、拍子情報で各拍子（ビート）に対応づけられたフレーム画像から構成される静止画ファイルを生成する（ステップＳ４０９）。
【０１２４】
この場合、再生処理部２１５は、拍子情報の０拍目〜ｍ拍目のそれぞれに対応づけられているフレーム画像を１つのファイルとして統合し、例えば、図１７（ｂ）に示すように表示部３１０に表示する。図示するように、生成される静止画ファイルにおいては、例えば、各フレーム画像が一覧配置されるとともに、各画像が何拍目のものであるかを示す数値情報が付加される。
【０１２５】
つまり、音楽のビート部分の画像を一覧できる静止画ファイルが生成されるので、このような静止画ファイルを、例えば、振り付け表として利用することができる。すなわち、ダンスなどを撮像するだけで、振り付け表を容易に作成することができる。
【０１２６】
再生処理部２１５は、生成した静止画ファイルを、例えば、外部記憶部２６０などに格納した後、「再生処理」を終了する。
【０１２７】
以上説明したように、本発明を上記実施形態の如く適用することにより、動画像と音楽の拍子を連動させることができる。
【０１２８】
つまり、動画撮像時に拍子を検出し、時間情報に基づいて、検出した拍子と、その時間的位置で得られたフレーム画像とを対応づけて記録することで、拍子とフレーム画像との対応関係に応じた再生動作をおこなうことができる。
【０１２９】
この場合において、ビート（拍子）とフレーム画像とが対応づけられているので、ビートを認識しやすい再生をおこなうことができ、再生画像を見ることで、撮像された動作（ダンスなど）がビートに合っているか容易に確認することができる。
【０１３０】
つまり、撮像時に記録した拍子情報に基づいて、再生時に、ビート部分に対応するフレーム画像を選択的に表示したり、ビート部分を示す音声（拍子音）を出力したりすることができる。このようなビートと連動した再生により、撮像された動作がビートと合っていたか容易かつ正確に確認することができる。
【０１３１】
また、撮像時に入力される音声から拍子を検出するので、音楽に合わせておこなわれるダンスなどを撮影するだけで、拍子情報が自動的に生成され、拍子に連動した再生動作を容易におこなうことができる。この場合、音楽の開始部分を拍子として検出するので、音楽の開始とともにおこなわれるダンスなどを撮影した場合に、音楽の開始位置から再生させることができ、ダンスの動作などが音楽のビートにあっているか容易に確認することができる。
【０１３２】
また、テンポを予め指定しておくことで、手動で入力された音楽や動作（ダンスなど）の開始時点を基準に、拍子の部分を順次検出して拍子情報を生成するので、例えば、撮影場所で流れている音楽が明瞭でない場合や、音楽ナシでダンスなどの練習をおこなう場合などであっても、所望する拍子に動作が合っているか再生時に確認することができる。
【０１３３】
また、動画像データを構成しているフレーム画像のうち、ビート（拍子）に対応づけられたフレーム画像で構成した静止画データを生成することができるので、例えば、ダンス動作を動画撮影するだけで、振り付け表などに活用できる静止画ファイルを容易に作成することができる。
【０１３４】
上記実施形態は一例であり、本発明の適用範囲はこれに限られない。すなわち、種々の応用が可能であり、あらゆる実施の形態が本発明の範囲に含まれる。
【０１３５】
例えば、上記実施形態では、撮影対象としてダンスの場面を例示したが、音楽などの拍子（ビート）と関連する動作であれば撮影対象は任意である。
【０１３６】
また、上記実施形態では、入力された音声の音声レベルに基づいて、楽曲の開始位置やビート（拍子）部分を検出するものとしたが、これらを検出することができるのであれば、検出方法は任意である。
【０１３７】
なお、本発明を上記実施形態で例示したデジタルカメラ１のような撮像装置で実現する場合においては、本発明にかかる構成や機能を予め備えた撮像装置として提供できる他、制御部２１０の各機能と同様の機能を実現するプログラムを適用することにより、既存の撮像装置を本発明にかかる撮像装置をして機能させることもできる。
【０１３８】
なお、上記実施形態では、撮像装置の例として、動画撮像機能を有するデジタルスチルカメラを示したが、撮像装置の形態は任意であり、単体のデジタルスチルカメラで実現可能であることはもとより、これと同様の撮像機能を備えた種々の電子機器（例えば、デジタルビデオカメラ、携帯電話、など）に本発明を適用してもよい。
【０１３９】
このような場合においても、プログラムを適用することで、既存の装置を本発明にかかる撮像装置として機能させることができる。
【０１４０】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【図面の簡単な説明】
【０１４１】
【図１】本発明の実施形態にかかるデジタルカメラの構成を示すブロック図である。
【図２】図１に示す制御部によって実現される機能を示す機能ブロック図である。
【図３】本発明の実施形態にかかる「ビート記録撮像処理」を説明するためのフローチャートである。
【図４】図３に示す「ビート記録撮像処理」で実行される「ユーザ指定撮像処理」を説明するためのフローチャートである。
【図５】図３に示す「ビート記録撮像処理」で実行される「自動検出撮像処理」を説明するためのフローチャートである。
【図６】図３に示す「ビート記録撮像処理」で表示される画面の表示例を説明するための図であり、（ａ）は、ビート検出モードを指定するための設定画面の表示例を示し、（ｂ）は、ビートを数値入力するための設定画面の表示例を示す。
【図７】本発明の実施形態にかかるデジタルカメラで撮像する場面を説明するための図である。
【図８】図７に例示した場面での動作と音楽および撮像動作の関係を説明するための図である。
【図９】図３に示す「ビート記録撮像処理」で得られるフレーム画像と、ビートおよび時間情報との関連を説明するための図である。
【図１０】図３に示す「ビート記録撮像処理」で記録される「拍子情報」の例を示す図である。
【図１１】本発明の実施形態にかかる「再生処理」を説明するためのフローチャートである。
【図１２】図１１に示す「再生処理」で表示される画面の表示例を説明するための図であり、（ａ）は、再生モードを選択するための設定画面の表示例を示し、（ｂ）は、使用する音声を指定するための設定画面の表示例を示す。
【図１３】図１１に示す「再生処理」で実行される「ビート連動再生処理」の一例としての「ビート連動再生処理（１）」を説明するためのフローチャートである。
【図１４】図１１に示す「再生処理」で実行される「ビート連動再生処理」の一例としての「ビート連動再生処理（２）」を説明するためのフローチャートである。
【図１５】図１１に示す「再生処理」で実行される「ビート連動再生処理」の一例としての「ビート連動再生処理（３）」を説明するためのフローチャートである。
【図１６】図１１に示す「ビート連動再生処理」での再生画面の例を示す図である。
【図１７】図１１に示す「ビート連動再生処理」での静止画ファイル生成にかかる画面表示例を示す図であり、（ａ）は、静止画ファイルの作成要否を選択するための設定画面の表示例を示し、（ｂ）は、生成された静止画ファイルの表示例を示す。
【符号の説明】
【０１４２】
１…デジタルカメラ、１００…撮像部、１１０…光学装置、１２０…イメージセンサ部、２００…データ処理部、２１０…制御部、２１１…動作モード処理部、２１２…動画撮像処理部、２１３…拍子検出部、２１４…データ記録部、２１５…再生処理部、２２０…画像処理部、２３０…画像メモリ、２４０…画像出力部、２５０…記憶部、２６０…外部記憶部、３００…インタフェース部、３１０…表示部、３２０…音声入出力部、３３０…操作部
【図１】
2009218900.tif 000003
【図２】
2009218900.tif 000004
【図３】
2009218900.tif 000005
【図４】
2009218900.tif 000006
【図５】
2009218900.tif 000007
【図６】
2009218900.tif 000008
【図７】
2009218900.tif 000009
【図８】
2009218900.tif 000010
【図９】
2009218900.tif 000011
【図１０】
2009218900.tif 000012
【図１１】
2009218900.tif 000013
【図１２】
2009218900.tif 000014
【図１３】
2009218900.tif 000015
【図１４】
2009218900.tif 000016
【図１５】
2009218900.tif 000017
【図１６】
2009218900.tif 000018
【図１７】
2009218900.tif 000019